(57)【要約】【課題】数字が変わったときのちらつきを防止し、かつ、数字の認識度を高めた表示装置を提供する。【解決手段】ＣＰＵが、第１直線Ｌ１−第２直線Ｌ２間の第５直線Ｌ５上と、第４直線Ｌ４−第５直線Ｌ５間の第２直線Ｌ２上と、第１直線Ｌ１−第３直線Ｌ３間の第４直線Ｌ４上とに沿って自発光ドットデバイスを発光させて「４」を表示する。ＣＰＵは、また、第４直線Ｌ４に沿った意匠領域Ａ１１及び第２直線Ｌ２に沿った意匠領域Ａ１１が交わる部分に右側に向かって突出する突出部Ｔ４が表示されるように自発光ドットデバイスを発光すると共に第４直線Ｌ４に沿った意匠領域Ａ１１の上端が第５直線Ｌ５に沿った意匠領域Ａ１１の上端よりも下側になるように自発光ドットデバイスを発光する。【選択図】図５
2008286928.tif 000002
【特許請求の範囲】
【請求項１】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線上と、前記第１直線−前記第３直線間の前記第４直線上と、前記第４直線−前記第５直線間の前記第３直線上と、前記第１直線−前記第３直線間の前記第５直線上とに沿って前記画素を発光させて「０」を表示する０発光手段を有すると共に、
前記０発光手段が、前記第１直線に沿った発光部及び前記第４直線に沿った発光部が交わる部分の内側及び／又は外側と、前記第４直線に沿った発光部及び前記第３直線に沿った発光部が交わる部分の内側及び／又は外側と、前記第３直線に沿った発光部及び前記第５直線に沿った発光部が交わる部分の内側及び／又は外側と、前記第１直線に沿った発光部及び前記第５直線に沿った発光部が交わる部分の内側及び／又は外側と、にＲが付くように前記画素を発光するものである
ことを特徴とする表示装置。
【請求項２】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第１直線−前記第３直線間の前記第４直線上に沿って前記画素を発光させて「１」を表示する１発光手段を有すると共に、
前記１発光手段が、前記第４直線に沿った発光部の上端に左側に向かって突出する突出部が表示されるように前記画素を発光するものである
ことを特徴とする表示装置。
【請求項３】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線上と、前記第１直線−前記第２直線間の前記第４直線上と、前記第４直線−前記第５直線間の前記第２直線上と、前記第２直線−前記第３直線間の前記第５直線上と、前記第４直線−前記第５直線間の前記第３直線上とに沿って前記画素を発光させて「２」を表示する２発光手段を有すると共に、
前記２発光手段が、前記第１直線に沿った発光部の左端に下側に向かって突出する突出部が表示されるように前記画素を発光するものである
ことを特徴とする表示装置。
【請求項４】
前記２発光手段が、前記第１直線に沿った発光部及び前記第４直線に沿った発光部が交わる部分の内側及び／又は外側と、前記第４直線に沿った発光部及び前記第２直線に沿った発光部が交わる部分の内側及び／又は外側と、前記第２直線に沿った発光部及び前記第５直線に沿った発光部が交わる部分の内側及び／又は外側と、にＲが付くように前記画素を発光すると共に前記第５直線に沿った発光部及び前記第３直線に沿った発光部が交わる部分の内側及び／又は外側が直線的に曲がるように前記画素を発光するものである
ことを特徴とする請求項３記載の表示装置。
【請求項５】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線上と、前記第４直線−前記第５直線間の前記第２直線上と、前記第４直線−前記第５直線間の前記第３直線上と、前記第１直線−前記第３直線間の前記第４直線上とに沿って前記画素を発光させて「３」を表示する３発光手段を有すると共に、
前記３発光手段が、前記第１直線に沿った発光部の左端に下側に向かって突出する突出部が表示されるように前記画素を発光して、前記第３直線に沿った発光部の左端に上側に向かって突出する突出部が表示されるように前記画素を発光して、前記第２直線に沿った発光部の左端が前記第１直線及び前記第３直線に沿った発光部の左端よりも右側になるように前記画素を発光するものである
ことを特徴とする表示装置。
【請求項６】
前記３発光手段が、前記第１直線に沿った発光部及び前記第４直線に沿った発光部が交わる部分の内側及び／又は外側と、前記第２直線に沿った発光部及び前記第４直線に沿った発光部が交わる部分の内側と、前記第３直線に沿った発光部及び前記第４直線に沿った発光部が交わる部分の内側及び／又は外側と、にＲが付くように前記画素を発光するものである
ことを特徴とする請求項５に記載の表示装置。
【請求項７】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第１直線−前記第２直線間の前記第５直線上と、前記第４直線−前記第５直線間の前記第２直線上と、前記第１直線−前記第３直線間の前記第４直線上とに沿って前記画素を発光させて「４」を表示する４発光手段を有すると共に、
前記４発光手段が、前記第４直線に沿った発光部及び前記第２直線に沿った発光部が交わる部分に右側に向かって突出する突出部が表示されるように前記画素を発光すると共に前記第４直線に沿った発光部の上端が前記第５直線に沿った発光部の上端よりも下側になるように前記画素を発光するものである
ことを特徴とする表示装置。
【請求項８】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第１直線−前記第２直線間の前記第５直線上と、前記第４直線−前記第５直線間の前記第２直線上と、前記第２直線−前記第３直線間の前記第４直線上と、前記第４直線−前記第５直線間の前記第３直線上と、前記第４直線−前記第５直線間の前記第１直線上と、に沿って前記画素を発光させて「５」を表示する５発光手段を有すると共に、
前記５発光手段が、前記第３直線に沿った発光部の左端に上側に向かって突出する突出部が表示されるように前記画素を発光すると共に前記第１直線に沿った発光部の右端が前記第４直線に沿った発光部の右端よりも左側になるように前記画素を発光するものである
ことを特徴とする表示装置。
【請求項９】
前記５発光手段が、前記第２直線に沿った発光部及び前記第４直線に沿った発光部が交わる部分の内側及び／又は外側と、前記第３直線に沿った発光部及び前記第４直線に沿った発光部が交わる部分の内側及び／又は外側と、にＲが付くように前記画素を発光すると共に前記第１直線に沿った発光部及び前記第５直線に沿った発光部が交わる部分の内側及び／又は外側と、前記第２直線に沿った発光部及び前記第５直線に沿った発光部が交わる部分の内側及び／又は外側とが直線的に曲がるように前記画素を発光するものである
ことを特徴とする請求項８に記載の表示装置。
【請求項１０】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線と、前記第１直線−前記第３直線間の前記第５直線と、前記第４直線−前記第５直線間の前記第３直線と、前記第２直線−前記第３直線間の前記第４直線と、前記第４直線−前記第５直線間の前記第２直線と、に沿って前記画素を発光させて「６」を表示する６発光手段を有すると共に、
前記６発光手段が、前記第１直線に沿った発光部の右端に下側に向かって突出する突出部が表示されるように前記画素を発光するものである
ことを特徴とする表示装置。
【請求項１１】
前記６発光手段が、前記第２直線に沿った発光部及び前記第４直線に沿った発光部が交わる部分の内側及び／又は外側と、前記第４直線に沿った発光部及び前記第３直線に沿った発光部が交わる部分の内側及び／又は外側と、前記第３直線に沿った発光部及び前記第５直線に沿った発光部が交わる部分の内側及び／又は外側と、前記第２直線に沿った発光部及び前記第５直線に沿った発光部が交わる部分の下側の内側と、前記第１直線に沿った発光部及び前記第５直線に沿った発光部が交わる部分の内側及び／又は外側と、にＲが付くように前記画素を発光すると共に、前記第２直線に沿った発光部及び前記第５直線に沿った発光部が交わる部分の上側の内側が直線的に曲がるように前記画素を発光するものである
ことを特徴とする請求項１０に記載の表示装置。
【請求項１２】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線と、前記第１直線−前記第３直線間の前記第４直線とに沿って前記画素を発光させて「７」を表示する７発光手段を有すると共に、
前記７発光手段が、前記第１直線に沿った発光部の左端に下側に向かって突出する突出部が表示されるように前記画素を発光するものである
ことを特徴とする表示装置。
【請求項１３】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第１直線−前記第３直線間の前記第４直線と、前記第１直線−前記第３直線間の前記第５直線と、前記第４直線−前記第５直線間の前記第１直線と、前記第４直線−前記第５直線間の前記第２直線と、前記第４直線−前記第５直線間の前記第３直線と、に沿って前記画素を発光させて「８」を表示する８発光手段を有すると共に、
前記８発光手段が、前記第１直線に沿った発光部及び前記第４直線に沿った発光部が交わる部分の内側及び／又は外側と、前記第２直線に沿った発光部及び前記第４直線に沿った発光部が交わる部分の内側と、前記第３直線に沿った発光部及び前記第４直線に沿った発光部が交わる部分の内側及び／又は外側と、前記第１直線に沿った発光部及び前記第５直線に沿った発光部が交わる部分の内側及び／又は外側と、前記第２直線に沿った発光部及び前記第５直線に沿った発光部が交わる部分の内側と、前記第３直線に沿った発光部及び前記第５直線に沿った発光部が交わる部分の内側及び／又は外側と、にＲが付くように前記画素を発光するものである
ことを特徴とする表示装置。
【請求項１４】
マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、
前記数字発光手段が、前記第４直線−前記第５直線間の前記第１直線と、前記第１直線−前記第２直線間の前記第５直線と、前記第４直線−前記第５直線間の前記第２直線と、前記第１直線−前記第３直線間の前記第４直線と、前記第４直線−前記第５直線間の前記第３直線と、に沿って前記画素を発光させて「９」を表示する９発光手段を有すると共に、
前記９発光手段が、前記第３直線に沿った発光部の左端に上側に向かって突出する突出部が表示されるように前記画素を発光するものである
ことを特徴とする表示装置。
【請求項１５】
前記９発光手段が、前記第１直線に沿った発光部及び前記第４直線に沿った発光部が交わる部分の内側及び／又は外側と、前記第１直線に沿った発光部及び前記第５直線に沿った発光部が交わる部分の内側及び／又は外側と、前記第５直線に沿った発光部及び前記第２直線に沿った発光部が交わる部分の内側及び／又は外側と、前記第２直線に沿った発光部及び前記第４直線に沿った発光部が交わる部分の上側の内側と、にＲが付くように前記画素を発光して、前記第２直線に沿った発光部及び前記第４直線に沿った発光部が交わる部分の下側の内側が直線的に曲がるように前記画素を発光するものである
ことを特徴とする請求項１４に記載の表示装置。
【発明の詳細な説明】
【技術分野】
【０００１】
本発明は、表示装置に係り、特に、数字を表示する表示装置に関するものである。
【背景技術】
【０００２】
上述した表示装置として、例えば図８に示すように数字をセグメント表示するものが知られている（例えば特許文献１）。同図に示すように、表示装置は、数字の「８」を形成するように配置された７つのセグメントＳ１〜Ｓ７から構成されていて、これらを独立して点灯させたり消灯させたりすることで「０」〜「９」までの数字を表示している。
【０００３】
しかしながら、図８に示す表示装置では、数字の「８」を固定パターンとして他の数字を展開しているため実際の数字とは異なるいびつな形状となってしまい数字の認識度が低い、という問題があった。
【０００４】
また、例えばドットマトリクス表示で一般的な数字を表示する表示装置も知られている。ドットマトリクス表示で一般的に行われている図９に示すような数字表示では、自然な数字を表示することができ、数字の認識度が高い。しかしながら、上記セグメント表示とは異なり、数字の「８」を固定パターンとして他の数字を展開していないため、表示する数字が変わったときにちらつきが起こる、という問題があった。
【特許文献１】特開昭６１−１５７９７４号公報
【特許文献２】特開昭６１−３２０９２号公報
【発明の開示】
【発明が解決しようとする課題】
【０００５】
そこで、本発明は、上記のような問題点に着目し、数字が変わったときのちらつきを防止し、かつ、数字の認識度を高めた表示装置を提供することを課題とする。
【課題を解決するための手段】
【０００６】
上記課題を解決するためになされた請求項１記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線上と、前記第１直線−前記第３直線間の前記第４直線上と、前記第４直線−前記第５直線間の前記第３直線上と、前記第１直線−前記第３直線間の前記第５直線上とに沿って前記画素を発光させて「０」を表示する０発光手段を有すると共に、前記０発光手段が、前記第１直線に沿った発光部及び前記第４直線に沿った発光部が交わる部分の内側及び／又は外側と、前記第４直線に沿った発光部及び前記第３直線に沿った発光部が交わる部分の内側及び／又は外側と、前記第３直線に沿った発光部及び前記第５直線に沿った発光部が交わる部分の内側及び／又は外側と、前記第１直線に沿った発光部及び前記第５直線に沿った発光部が交わる部分の内側及び／又は外側と、にＲが付くように前記画素を発光するものであることを特徴とする表示装置に存する。
【０００７】
請求項１記載の発明によれば、数字発光手段がセグメント表示を行い、０発光手段が第１直線に沿った発光部及び第４直線に沿った発光部が交わる部分の内側及び／又は外側と、第４直線に沿った発光部及び第３直線に沿った発光部が交わる部分の内側及び／又は外側と、第３直線に沿った発光部及び第５直線に沿った発光部が交わる部分の内側及び／又は外側と、第１直線に沿った発光部及び第５直線に沿った発光部が交わる部分の内側及び／又は外側と、にＲが付くように表示して数字の「０」を特徴付けることができる。
【０００８】
請求項２記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第１直線−前記第３直線間の前記第４直線上に沿って前記画素を発光させて「１」を表示する１発光手段を有すると共に、前記１発光手段が、前記第４直線に沿った発光部の上端に左側に向かって突出する突出部が表示されるように前記画素を発光するものであることを特徴とする表示装置に存する。
【０００９】
請求項２記載の発明によれば、数字発光手段がセグメント表示を行い、１発光手段が突出部を表示して数字の「１」を特徴付けることができる。
【００１０】
請求項３記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線上と、前記第１直線−前記第２直線間の前記第４直線上と、前記第４直線−前記第５直線間の前記第２直線上と、前記第２直線−前記第３直線間の前記第５直線上と、前記第４直線−前記第５直線間の前記第３直線上とに沿って前記画素を発光させて「２」を表示する２発光手段を有すると共に、前記２発光手段が、前記第１直線に沿った発光部の左端に下側に向かって突出する突出部が表示されるように前記画素を発光するものである
ことを特徴とする表示装置に存する。
【００１１】
請求項３記載の発明によれば、数字発光手段がセグメント表示を行いつつ突出部を表示して数字の「２」を特徴付けることができる。
【００１２】
請求項４記載の発明は、前記２発光手段が、前記第１直線に沿った発光部及び前記第４直線に沿った発光部が交わる部分の内側及び／又は外側と、前記第４直線に沿った発光部及び前記第２直線に沿った発光部が交わる部分の内側及び／又は外側と、前記第２直線に沿った発光部及び前記第５直線に沿った発光部が交わる部分の内側及び／又は外側と、にＲが付くように前記画素を発光すると共に前記第５直線に沿った発光部及び前記第３直線に沿った発光部が交わる部分の内側及び／又は外側が直線的に曲がるように前記画素を発光するものであることを特徴とする請求項３記載の表示装置に存する。
【００１３】
請求項４記載の発明によれば、より一層数字の「２」の認識度を高めることができる。
【００１４】
請求項５記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線上と、前記第４直線−前記第５直線間の前記第２直線上と、前記第４直線−前記第５直線間の前記第３直線上と、前記第１直線−前記第３直線間の前記第４直線上とに沿って前記画素を発光させて「３」を表示する３発光手段を有すると共に、前記３発光手段が、前記第１直線に沿った発光部の左端に下側に向かって突出する突出部が表示されるように前記画素を発光して、前記第３直線に沿った発光部の左端に上側に向かって突出する突出部が表示されるように前記画素を発光して、前記第２直線に沿った発光部の左端が前記第１直線及び前記第３直線に沿った発光部の左端よりも右側になるように前記画素を発光するものであることを特徴とする表示装置に存する。
【００１５】
請求項５記載の発明によれば、数字発光手段がセグメント表示を行い、３発光手段が突出部を表示すると共に第２直線に沿った発光部の左端が第１直線及び第３直線に沿った発光部の左端よりも右側になるように表示して数字の「３」を特徴付けることができる。
【００１６】
請求項６記載の発明は、前記３発光手段が、前記第１直線に沿った発光部及び前記第４直線に沿った発光部が交わる部分の内側及び／又は外側と、前記第２直線に沿った発光部及び前記第４直線に沿った発光部が交わる部分の内側と、前記第３直線に沿った発光部及び前記第４直線に沿った発光部が交わる部分の内側及び／又は外側と、にＲが付くように前記画素を発光するものであることを特徴とする請求項５に記載の表示装置に存する。
【００１７】
請求項６記載の発明によれば、より一層数字の「３」の認識度を高めることができる。
【００１８】
請求項７記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第１直線−前記第２直線間の前記第５直線上と、前記第４直線−前記第５直線間の前記第２直線上と、前記第１直線−前記第３直線間の前記第４直線上とに沿って前記画素を発光させて「４」を表示する４発光手段を有すると共に、前記４発光手段が、前記第４直線に沿った発光部及び前記第２直線に沿った発光部が交わる部分に右側に向かって突出する突出部が表示されるように前記画素を発光すると共に前記第４直線に沿った発光部の上端が前記第５直線に沿った発光部の上端よりも下側になるように前記画素を発光するものであることを特徴とする表示装置に存する。
【００１９】
請求項７記載の発明によれば、数字発光手段がセグメント表示を行い、４発光手段が突出部を表示すると共に第４直線に沿った発光部の上端が第５直線に沿った発光部の上端よりも下側になるように表示して数字の「４」を特徴付けることができる。
【００２０】
請求項８記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第１直線−前記第２直線間の前記第５直線上と、前記第４直線−前記第５直線間の前記第２直線上と、前記第２直線−前記第３直線間の前記第４直線上と、前記第４直線−前記第５直線間の前記第３直線上と、前記第４直線−前記第５直線間の前記第１直線上と、に沿って前記画素を発光させて「５」を表示する５発光手段を有すると共に、前記５発光手段が、前記第３直線に沿った発光部の左端に上側に向かって突出する突出部が表示されるように前記画素を発光すると共に前記第１直線に沿った発光部の右端が前記第４直線に沿った発光部の右端よりも左側になるように前記画素を発光するものであることを特徴とする表示装置に存する。
【００２１】
請求項８記載の発明によれば、数字発光手段がセグメント表示を行い、５発光手段が突出部を表示すると共に第１直線に沿った発光部の右端が第４直線に沿った発光部の右端よりも左側になるように表示して数字の「５」を特徴付けることができる。
【００２２】
請求項９記載の発明は、前記５発光手段が、前記第２直線に沿った発光部及び前記第４直線に沿った発光部が交わる部分の内側及び／又は外側と、前記第３直線に沿った発光部及び前記第４直線に沿った発光部が交わる部分の内側及び／又は外側と、にＲが付くように前記画素を発光すると共に前記第１直線に沿った発光部及び前記第５直線に沿った発光部が交わる部分の内側及び／又は外側と、前記第２直線に沿った発光部及び前記第５直線に沿った発光部が交わる部分の内側及び／又は外側とが直線的に曲がるように前記画素を発光するものであることを特徴とする請求項８に記載の表示装置に存する。
【００２３】
請求項９記載の発明によれば、より一層数字の「５」の認識度を高めることができる。
【００２４】
請求項１０記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線と、前記第１直線−前記第３直線間の前記第５直線と、前記第４直線−前記第５直線間の前記第３直線と、前記第２直線−前記第３直線間の前記第４直線と、前記第４直線−前記第５直線間の前記第２直線と、に沿って前記画素を発光させて「６」を表示する６発光手段を有すると共に、前記６発光手段が、前記第１直線に沿った発光部の右端に下側に向かって突出する突出部が表示されるように前記画素を発光するものであることを特徴とする表示装置に存する。
【００２５】
請求項１０記載の発明によれば、数字発光手段がセグメント表示を行い、６発光手段が突出部を表示して数字の「６」を特徴付けることができる。
【００２６】
請求項１１記載の発明は、前記６発光手段が、前記第２直線に沿った発光部及び前記第４直線に沿った発光部が交わる部分の内側及び／又は外側と、前記第４直線に沿った発光部及び前記第３直線に沿った発光部が交わる部分の内側及び／又は外側と、前記第３直線に沿った発光部及び前記第５直線に沿った発光部が交わる部分の内側及び／又は外側と、前記第２直線に沿った発光部及び前記第５直線に沿った発光部が交わる部分の下側の内側と、前記第１直線に沿った発光部及び前記第５直線に沿った発光部が交わる部分の内側及び／又は外側と、にＲが付くように前記画素を発光すると共に、前記第２直線に沿った発光部及び前記第５直線に沿った発光部が交わる部分の上側の内側が直線的に曲がるように前記画素を発光するものであることを特徴とする請求項１０に記載の表示装置に存する。
【００２７】
請求項１１記載の発明によれば、より一層数字の「６」の認識度を高めることができる。
【００２８】
請求項１２記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線と、前記第１直線−前記第３直線間の前記第４直線とに沿って前記画素を発光させて「７」を表示する７発光手段を有すると共に、前記７発光手段が、前記第１直線に沿った発光部の左端に下側に向かって突出する突出部が表示されるように前記画素を発光するものであることを特徴とする表示装置に存する。
【００２９】
請求項１２記載の発明によれば、数字発光手段がセグメント表示を行い、７発光手段が突出部を表示して数字の「７」を特徴付けることができる。
【００３０】
請求項１３記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第１直線−前記第３直線間の前記第４直線と、前記第１直線−前記第３直線間の前記第５直線と、前記第４直線−前記第５直線間の前記第１直線と、前記第４直線−前記第５直線間の前記第２直線と、前記第４直線−前記第５直線間の前記第３直線と、に沿って前記画素を発光させて「８」を表示する８発光手段を有すると共に、前記８発光手段が、前記第１直線に沿った発光部及び前記第４直線に沿った発光部が交わる部分の内側及び／又は外側と、前記第２直線に沿った発光部及び前記第４直線に沿った発光部が交わる部分の内側と、前記第３直線に沿った発光部及び前記第４直線に沿った発光部が交わる部分の内側及び／又は外側と、前記第１直線に沿った発光部及び前記第５直線に沿った発光部が交わる部分の内側及び／又は外側と、前記第２直線に沿った発光部及び前記第５直線に沿った発光部が交わる部分の内側と、前記第３直線に沿った発光部及び前記第５直線に沿った発光部が交わる部分の内側及び／又は外側と、にＲが付くように前記画素を発光するものであることを特徴とする表示装置に存する。
【００３１】
請求項１３記載の発明によれば、数字発光手段がセグメント表示を行い、８発光手段が第１直線に沿った発光部及び第４直線に沿った発光部が交わる部分の内側及び／又は外側と、第２直線に沿った発光部及び第４直線に沿った発光部が交わる部分の内側と、第３直線に沿った発光部及び第４直線に沿った発光部が交わる部分の内側及び／又は外側と、第１直線に沿った発光部及び第５直線に沿った発光部が交わる部分の内側及び／又は外側と、第２直線に沿った発光部及び第５直線に沿った発光部が交わる部分の内側と、第３直線に沿った発光部及び第５直線に沿った発光部が交わる部分の内側及び／又は外側と、にＲが付くように表示して数字の「８」を特徴付けることができる。
【００３２】
請求項１４記載の発明は、マトリクス状に並べられた複数の画素と、左右方向に沿って設けられた第１直線、前記第１直線の下側に前記第１直線と平行に設けられた第２直線、前記第２直線の下側に前記第２直線と平行に設けられた第３直線、前記第１〜第３直線と交わるように設けられた第４直線及び前記第４直線の左側に前記第４直線と平行に設けられた第５直線上に沿って前記画素を発光させて数字をセグメント表示させる数字発光手段とを有する表示装置において、前記数字発光手段が、前記第４直線−前記第５直線間の前記第１直線と、前記第１直線−前記第２直線間の前記第５直線と、前記第４直線−前記第５直線間の前記第２直線と、前記第１直線−前記第３直線間の前記第４直線と、前記第４直線−前記第５直線間の前記第３直線と、に沿って前記画素を発光させて「９」を表示する９発光手段を有すると共に、前記９発光手段が、前記第３直線に沿った発光部の左端に上側に向かって突出する突出部が表示されるように前記画素を発光するものであることを特徴とする表示装置に存する。
【００３３】
請求項１４記載の発明によれば、数字発光手段がセグメント表示を行い、９発光手段が突出部を表示して数字の「９」を特徴付けることができる。
【００３４】
請求項１５記載の発明は、前記９発光手段が、前記第１直線に沿った発光部及び前記第４直線に沿った発光部が交わる部分の内側及び／又は外側と、前記第１直線に沿った発光部及び前記第５直線に沿った発光部が交わる部分の内側及び／又は外側と、前記第５直線に沿った発光部及び前記第２直線に沿った発光部が交わる部分の内側及び／又は外側と、前記第２直線に沿った発光部及び前記第４直線に沿った発光部が交わる部分の上側の内側と、にＲが付くように前記画素を発光して、前記第２直線に沿った発光部及び前記第４直線に沿った発光部が交わる部分の下側の内側が直線的に曲がるように前記画素を発光するものであることを特徴とする請求項１４に記載の表示装置に存する。
【００３５】
請求項１５記載の発明によれば、より一層数字の「９」の認識度を高めることができる。
【発明の効果】
【００３６】
以上説明したように請求項１記載の発明によれば、数字発光手段がセグメント表示を行い、０発光手段が第１直線に沿った発光部及び第４直線に沿った発光部が交わる部分の内側及び／又は外側と、第４直線に沿った発光部及び第３直線に沿った発光部が交わる部分の内側及び／又は外側と、第３直線に沿った発光部及び第５直線に沿った発光部が交わる部分の内側及び／又は外側と、第１直線に沿った発光部及び第５直線に沿った発光部が交わる部分の内側及び／又は外側と、にＲが付くように表示して数字の「０」を特徴付けることができるので、数字が変わったときのちらつきを防止し、かつ、数字の認識度を高めることができる。
【００３７】
請求項２記載の発明によれば、数字発光手段がセグメント表示を行い、１発光手段が突出部を表示して数字の「１」を特徴付けることができるので、数字が変わったときのちらつきを防止し、かつ、数字の認識度を高めることができる。
【００３８】
請求項３記載の発明によれば、数字発光手段がセグメント表示を行いつつ突出部を表示して数字の「２」を特徴付けることができるので、数字が変わったときのちらつきを防止しかつ数字の認識度を高めることができる。
【００３９】
請求項４記載の発明によれば、より一層数字の「２」の認識度を高めることができる。
【００４０】
請求項５記載の発明によれば、数字発光手段がセグメント表示を行い、３発光手段が突出部を表示すると共に第２直線に沿った発光部の左端が第１直線及び第３直線に沿った発光部の左端よりも右側になるように表示して数字の「３」を特徴付けることができるので、数字が変わったときのちらつきを防止し、かつ、数字の認識度を高めることができる。
【００４１】
請求項６記載の発明によれば、より一層数字の「３」の認識度を高めることができる。
【００４２】
請求項７記載の発明によれば、数字発光手段がセグメント表示を行い、４発光手段が突出部を表示すると共に第４直線に沿った発光部の上端が第５直線に沿った発光部の上端よりも下側になるように表示して数字の「４」を特徴付けることができるので、数字が変わったときのちらつきを防止し、かつ、数字の認識度を高めることができる。
【００４３】
請求項８記載の発明によれば、数字発光手段がセグメント表示を行い、５発光手段が突出部を表示すると共に第１直線に沿った発光部の右端が第４直線に沿った発光部の右端よりも左側になるように表示して数字の「５」を特徴付けることができるので、数字が変わったときのちらつきを防止し、かつ、数字の認識度を高めることができる。
【００４４】
請求項９記載の発明によれば、より一層数字の「５」の認識度を高めることができる。
【００４５】
請求項１０記載の発明によれば、数字発光手段がセグメント表示を行い、６発光手段が突出部を表示して数字の「６」を特徴付けることができるので、数字が変わったときのちらつきを防止しかつ数字の認識度を高めることができる。
【００４６】
請求項１１記載の発明によれば、より一層数字の「６」の認識度を高めることができる。
【００４７】
請求項１２記載の発明によれば、数字発光手段がセグメント表示を行い、７発光手段が突出部を表示して数字の「７」を特徴付けることができるので、数字が変わったときのちらつきを防止しかつ数字の認識度を高めることができる。
【００４８】
請求項１３記載の発明によれば、数字発光手段がセグメント表示を行い、８発光手段が第１直線に沿った発光部及び第４直線に沿った発光部が交わる部分の内側及び／又は外側と、第２直線に沿った発光部及び第４直線に沿った発光部が交わる部分の内側と、第３直線に沿った発光部及び第４直線に沿った発光部が交わる部分の内側及び／又は外側と、第１直線に沿った発光部及び第５直線に沿った発光部が交わる部分の内側及び／又は外側と、第２直線に沿った発光部及び第５直線に沿った発光部が交わる部分の内側と、第３直線に沿った発光部及び第５直線に沿った発光部が交わる部分の内側及び／又は外側と、にＲが付くように表示して数字の「８」を特徴付けることができるので、数字が変わったときのちらつきを防止しかつ数字の認識度を高めることができる。
【００４９】
請求項１４記載の発明によれば、数字発光手段がセグメント表示を行い、９発光手段が突出部を表示して数字の「９」を特徴付けることができるので、数字が変わったときのちらつきを防止しかつ数字の認識度を高めることができる。
【００５０】
請求項１５記載の発明によれば、より一層数字の「９」の認識度を高めることができる。
【発明を実施するための最良の形態】
【００５１】
以下、本発明の一実施の形態を図面に基づいて説明する。図１は、本発明の表示装置を組み込んだ虚像表示装置の一実施の形態を示す構成図である。図２は、図１に示す表示装置のブロック図である。図３〜図７は、図１に示す表示装置に表示される画像の一例を示す図である。同図に示すように、虚像表示装置は、ダッシュボード１内に収容されている。
【００５２】
虚像表示装置は、表示装置２とこの表示装置２からの光を反射してウインドウＷに導くミラー３、４とを備えている。表示装置２は、配線板５上に搭載され、その背面には放熱板６が取り付けられている。また、自動車用計器は、上記表示装置２、ミラー３、４、配線板５及び放熱板６を収容するケース７を備えている。ケース７の下方に設けられた開口には、裏カバー８が取り付けられる。また、ケース７の上方に設けられた開口には、投射窓９が取り付けられる。
【００５３】
上述した虚像表示装置によれば、表示装置２から出射された光は、ミラー３、４で反射した後、投射窓９を透過してウインドウＷに導かれる。ウインドウＷに導かれた光は、ウインドウＷで反射して運転者視界ｅｙｅに到達する。これにより、運転者は、ウインドウＷに映った虚像を視認する。
【００５４】
上記表示装置２は、図２に示すように、表示器１０と、Ｙドライバ２１と、Ｘドライバ２２と、中央演算処理装置（ＣＰＵ）２３とを有している。表示器１０は、マトリクス状に並べられたＹ行Ｘ列の自発光ドットデバイスＤ（＝画素）を有している。自発光ドットデバイスＤは、例えば発光ダイオードなど電圧が供給されると自発光する素子から構成される。この表示器１０は、例えば車両のコントロールパネルに配置される。表示器１０には、図３〜図５に示すように、数字が表示される。
【００５５】
Ｙドライバ２１は、各行の自発光ドットデバイスＤの一端に設けられたＹ行電極ＥＹに接続されている。Ｘドライバ２２は、各列の自発光ドットデバイスＤの他端に設けられたＸ列電極ＥＸに接続されている。即ち、各自発光ドットデバイスＤは、Ｙ行電極ＥＹとＸ列電極ＥＸとの間に挟まれている。上記Ｘドライバ２２及びＹドライバ２１は、ＣＰＵ２３によって制御されている。上記ＣＰＵ２３は、ＥＥＰＲＯＭ２４が接続されている。ＥＥＰＲＯＭ２４には、例えば、図３〜図７に示すような画像データが記憶されている。
【００５６】
図３〜図７に示すように、画像データは、白塗りで表される発光領域Ａ１と、網掛けで表される非発光領域Ａ２とから構成されている。発光領域Ａ１は、数字に相当する意匠領域Ａ１１と、非発光領域Ａ２を挟んだ状態で意匠領域Ａ１１の外周に沿って設けられた外周領域Ａ１２とから構成されている。外周領域Ａ１２は、数字の外周のうち影に相当する部分のみに設けられている。
【００５７】
次に、上述した構成の表示装置の表示動作について以下説明する。ＣＰＵ２３は、ＥＥＰＲＯＭ２４から画像データを読み取る。そして、ＣＰＵ２３は、読み取った画像データに応じてＹドライバ２１、Ｘドライバ２２を駆動する。具体的には、ＣＰＵ２３は、垂直走査信号をＹドライバ２１に出力する。Ｙドライバ２１は、垂直走査信号に同期してＹ行電極ＥＹの一つを順次選択して、選択されたＹ行電極ＥＹに接続された自発光ドットデバイスＤに対する電圧の印加が可能な状態にしておく。
【００５８】
ＣＰＵ２３は、水平同期信号をＸドライバ２２に出力すると共に水平同期信号に同期して画像データをＸドライバ２２に出力する。Ｘドライバ２２は、水平同期信号に同期してＸ行電極ＥＸの一つを順次選択して、選択されたＸ行電極ＥＸに接続された自発光ドットデバイスＤが発光領域Ａ１に配置されているものあればその自発光ドットデバイスＤに電圧を印加する。即ち、Ｙドライバ２１により選択された行とＸドライバ２２により選択された列との交点に配置された自発光ドットデバイスＤが発光する。そして、Ｙドライバ２１、Ｘドライバ２２によってＸ行Ｙ列の自発光ドットデバイスＤに対して順次電圧を印加することにより、画像データに対応する画像が表示器１０に表示される。
【００５９】
次に、上記ＣＰＵ２３が表示する「０」〜「９」までの数字の詳細について説明する。図３〜図７に示すように、ＣＰＵ２３は、数字発光手段として働き、左右方向に沿って設けられた第１直線Ｌ１、第１直線Ｌ１の下側に第１直線Ｌ１と平行に設けられた第２直線Ｌ２、第２直線Ｌ２の下側に第２直線Ｌ２と平行に設けられた第３直線Ｌ３、第１〜第３直線Ｌ１〜Ｌ３と交わるように設けられた第４直線Ｌ４及び第４直線Ｌ４の左側に第４直線Ｌ４と平行に設けられた第５直線Ｌ５上に沿って自発光ドットデバイスＤを発光させて数字をセグメント表示させている。
【００６０】
まず、数字の「０」について説明する。ＣＰＵ２３は、０発光手段として働き、図３（Ａ）に示すように、第４直線Ｌ４−第５直線Ｌ５間の第１直線Ｌ１上と、第１直線Ｌ１−第３直線Ｌ３間の第４直線Ｌ４上と、第４直線Ｌ４−第５直線Ｌ５間の第３直線Ｌ３上と、第１直線Ｌ１−第３直線Ｌ３間の第５直線Ｌ５上とに沿って自発光ドットデバイスＤを発光させて「０」を表示する。
【００６１】
また、ＣＰＵ２３は、数字の「０」を特徴付けるために、第１直線Ｌ１に沿った意匠領域Ａ１１（発光部）及び第４直線Ｌ４に沿った意匠領域Ａ１１が交わる部分の内側Ｉ０１及び外側Ｏ０１と、第４直線Ｌ４に沿った意匠領域Ａ１１及び第３直線Ｌ３に沿った意匠領域Ａ１１が交わる部分の内側Ｉ０２及び外側Ｏ０２と、第３直線Ｌ３に沿った意匠領域Ａ１１及び第５直線Ｌ５に沿った意匠領域Ａ１１が交わる部分の内側Ｉ０３及び外側Ｏ０３と、第１直線Ｌ１に沿った意匠領域Ａ１１及び第５直線Ｌ５に沿った意匠領域Ａ１１が交わる部分の内側Ｉ０４及び外側Ｏ０４と、にＲが付くように自発光ドットデバイスＤを発光する。
【００６２】
これによれば、ＣＰＵ２３が、第１〜第５直線Ｌ１〜Ｌ５上に沿ってセグメント表示を行いつつ上記内側Ｉ０１〜Ｉ０４、外側Ｏ０１〜Ｏ０４にＲが付くように表示して数字の「０」を特徴付けることができるので、数字が変わったときのちらつきを防止し、かつ、数字の認識度を高めることができる。
【００６３】
次に、数字の「１」について説明する。ＣＰＵ２３は、１発光手段として働き、図３（Ｂ）に示すように、第１直線Ｌ１−第３直線Ｌ３間の第４直線Ｌ４上に沿って自発光ドットデバイスＤを発光させて「１」を表示する。また、ＣＰＵ２３は、数字の「１」を特徴付けるために、第４直線Ｌ４に沿った意匠領域Ａ１１の上端に左側に向かって突出する突出部Ｔ１が表示されるように自発光ドットデバイスＤを発光する。
【００６４】
これによれば、ＣＰＵ２３が、第１〜第５直線Ｌ１〜Ｌ５上に沿ってセグメント表示を行いつつ上記突出部Ｔ１を表示して数字の「１」を特徴付けることができるので、数字が変わったときのちらつきを防止し、かつ、数字の認識度を高めることができる。
【００６５】
次に、数字の「２」について説明する。ＣＰＵ２３は、２発光手段として働き、図４（Ａ）に示すように、第４直線Ｌ４−第５直線Ｌ５間の第１直線Ｌ１上と、第１直線Ｌ１−第２直線Ｌ２間の第４直線Ｌ４上と、第４直線Ｌ４−第５直線Ｌ５間の第２直線Ｌ２上と、第２直線Ｌ２−第３直線Ｌ３間の第５直線Ｌ５上と、第４直線Ｌ４−第５直線Ｌ５間の第３直線Ｌ３上とに沿って自発光ドットデバイスＤを発光させて「２」を表示する。
【００６６】
また、ＣＰＵ２３は、数字の「２」を特徴付けるために、第１直線Ｌ１に沿った意匠領域Ａ１１の左端に下側に向かって突出する突出部Ｔ２が表示されるように自発光ドットデバイスＤを発光する。また、ＣＰＵ２３は、数字の「２」を特徴付けるために、第１直線Ｌ１に沿った意匠領域Ａ１１及び第４直線Ｌ４に沿った意匠領域Ａ１１が交わる部分の内側Ｉ２１及び外側Ｏ２１と、第４直線Ｌ４に沿った意匠領域Ａ１１及び第２直線Ｌ２に沿った意匠領域Ａ１１が交わる部分の内側Ｉ２２及び外側Ｏ２２と、第２直線Ｌ２に沿った意匠領域Ａ１１及び第５直線Ｌ５に沿った意匠領域Ａ１１が交わる部分の内側Ｉ２３及びＯ２３と、にＲが付くように自発光ドットデバイスＤを発光すると共に第５直線Ｌ５に沿った意匠領域Ａ１１及び第３直線Ｌ３に沿った意匠領域Ａ１１が交わる部分の内側Ｉ２４及び外側Ｏ２４が直線的に曲がるように自発光ドットデバイスＤを発光するものである。
【００６７】
これによれば、ＣＰＵ２３が、第１〜第５直線Ｌ１〜Ｌ５上に沿ってセグメント表示を行いつつ上記突出部Ｔ２を表示して数字の「２」を特徴付けることができるので、数字が変わったときのちらつきを防止し、かつ、数字の認識度を高めることができる。また、上記内側Ｉ２１〜Ｉ２３、外側Ｏ２１〜Ｏ２３にＲが付くように表示すると共に内側Ｉ２４及び外側Ｏ２４が直線的に曲がるように表示することにより、より一層数字の「２」の認識度を高めることができる。
【００６８】
次に、数字の「３」について説明する。ＣＰＵ２３は、３発光手段として働き、図４（Ｂ）に示すように、第４直線Ｌ４−第５直線Ｌ５間の第１直線Ｌ１上と、第４直線Ｌ４−第５直線Ｌ５間の第２直線Ｌ２上と、第４直線Ｌ４−第５直線Ｌ５間の第３直線Ｌ３上と、第１直線Ｌ１−第３直線Ｌ３間の第４直線Ｌ４上とに沿って自発光ドットデバイスＤを発光させて「３」を表示する。
【００６９】
また、ＣＰＵ２３は、数字の「３」を特徴付けるために、第１直線Ｌ１に沿った意匠領域Ａ１１の左端に下側に向かって突出する突出部Ｔ３１が表示されるように自発光ドットデバイスＤを発光して、第３直線Ｌ３に沿った意匠領域Ａ１１の左端に上側に向かって突出する突出部Ｔ３２が表示されるように自発光ドットデバイスＤを発光すると共に、第２直線Ｌ２に沿った意匠領域Ａ１１の左端が第１直線Ｌ１及び第３直線Ｌ２に沿った意匠領域Ａ１１の左端よりも右側になるように自発光ドットデバイスＤを発光する。
【００７０】
さらに、ＣＰＵ２３は、第１直線Ｌ１に沿った意匠領域Ａ１１及び第４直線Ｌ４に沿った意匠領域Ａ１１が交わる部分の内側Ｉ３１及び外側Ｏ３１と、第２直線Ｌ２に沿った意匠領域Ａ１１及び第４直線Ｌ４に沿った意匠領域Ａ１１が交わる部分の内側Ｉ３２、Ｉ３３と、第３直線Ｌ３に沿った発光領域Ａ１及び第４直線Ｌ４に沿った意匠領域Ａ１１が交わる部分の内側Ｉ３４及び外側Ｏ３４と、にＲが付くように自発光ドットデバイスＤを発光するものである。また、ＣＰＵ２３は、第２直線Ｌ２に沿った意匠領域Ａ１１及び第４直線Ｌ４に沿った意匠領域Ａ１１が交わる部分に左側に向かって窪む凹部Ｔ３３が表示されるように自発光ドットデバイスＤを発光する。
【００７１】
これによれば、ＣＰＵ２３が、第１〜第５直線Ｌ１〜Ｌ５上に沿ってセグメント表示を行いつつ突出部Ｔ３１、Ｔ３２を表示すると共に第２直線Ｌ２に沿った意匠領域Ａ１１の左端が第１直線Ｌ１及び第３直線Ｌ３に沿った意匠領域Ａ１１の左端よりも右側になるように表示して数字の「３」を特徴付けることができるので、数字が変わったときのちらつきを防止し、かつ、数字の認識度を高めることができる。また、上記内側Ｉ３１〜Ｉ３４、外側Ｏ３１、Ｏ３４にＲが付くように表示すると共に凹部Ｔ３３を表示することにより、より一層数字の「３」の認識度を高めることができる。
【００７２】
次に、数字の「４」について説明する。ＣＰＵ２３は、４発光手段として働き、図５（Ａ）に示すように、第１直線Ｌ１−第２直線Ｌ２間の第５直線Ｌ５上と、第４直線Ｌ４−第５直線Ｌ５間の第２直線Ｌ２上と、第１直線Ｌ１−第３直線Ｌ３間の第４直線Ｌ４上とに沿って自発光ドットデバイスＤを発光させて「４」を表示する。
【００７３】
また、ＣＰＵ２３は、数字の「４」を特徴付けるために、第４直線Ｌ４に沿った意匠領域Ａ１１及び第２直線Ｌ２に沿った意匠領域Ａ１１が交わる部分に右側に向かって突出する突出部Ｔ４が表示されるように自発光ドットデバイスＤを発光すると共に第４直線Ｌ４に沿った意匠領域Ａ１１の上端が第５直線Ｌ５に沿った意匠領域Ａ１１の上端よりも下側になるように自発光ドットデバイスＤを発光する。
【００７４】
これによれば、ＣＰＵ２３が、第１〜第５直線Ｌ１〜Ｌ５上に沿ってセグメント表示を行いつつ突出部Ｔ４を表示すると共に第４直線Ｌ４に沿った意匠領域Ａ１１の上端が第５直線Ｌ５に沿った意匠領域Ａ１１の上端よりも下側になるように表示して数字の「４」を特徴付けることができるので、数字が変わったときのちらつきを防止し、かつ、数字の認識度を高めることができる。
【００７５】
次に、数字の「５」について説明する。ＣＰＵ２３は、５発光手段として働き、図５（Ｂ）に示すように、第１直線Ｌ１−第２直線Ｌ２間の第５直線Ｌ５上と、第４直線Ｌ４−第５直線Ｌ５間の第２直線Ｌ２上と、第２直線Ｌ２−第３直線Ｌ３間の第４直線Ｌ４上と、第４直線Ｌ４−第５直線Ｌ５間の第３直線Ｌ３上と、第４直線Ｌ４−第５直線Ｌ５間の第１直線Ｌ１上と、に沿って自発光ドットデバイスＤを発光させて「５」を表示する。
【００７６】
また、ＣＰＵ２３は、数字の「５」を特徴付けるために、第３直線Ｌ３に沿った意匠領域Ａ１１の左端に上側に向かって突出する突出部Ｔ５が表示されるように自発光ドットデバイスＤを発光すると共に第１直線Ｌ１に沿った意匠領域Ａ１１の右端が第４直線Ｌ４に沿った意匠領域Ａ１１の右端よりも左側になるように自発光ドットデバイスＤを発光する。
【００７７】
また、ＣＰＵ２３は、第２直線Ｌ２に沿った意匠領域Ａ１１及び第４直線Ｌ４に沿った意匠領域Ａ１１が交わる部分の内側Ｉ５１及び外側Ｏ５１と、第３直線Ｌ３に沿った意匠領域Ａ１１及び第４直線Ｌ４に沿った意匠領域Ａ１１が交わる部分の内側Ｉ５２及び外側Ｏ５２と、にＲが付くように自発光ドットデバイスＤを発光すると共に第１直線Ｌ１に沿った意匠領域Ａ１１及び第５直線Ｌ５に沿った意匠領域Ａ１１が交わる部分の内側Ｉ５３及び外側Ｏ５３と、第２直線Ｌ２に沿った意匠領域Ａ１１及び第５直線Ｌ５に沿った意匠領域Ａ１１が交わる部分の内側Ｉ５４及び外側Ｏ５４とが直線的に曲がるように自発光ドットデバイスＤを発光する。
【００７８】
これによれば、ＣＰＵ２３が、第１〜第５直線Ｌ１〜Ｌ５上に沿ってセグメント表示を行いつつ突出部Ｔ５を表示すると共に第１直線Ｌ１に沿った意匠領域Ａ１１の右端が第４直線Ｌ４に沿った意匠領域Ａ１１の右端よりも左側になるように表示して数字の「５」を特徴付けることができるので、数字が変わったときのちらつきを防止し、かつ、数字の認識度を高めることができる。また、内側Ｉ５１、Ｉ５２及び外側Ｏ５１、Ｏ５２にＲが付くように表示すると共に内側Ｉ５３、Ｉ５４及び外側Ｏ５３、Ｏ５４が直線的に曲がるように表示することにより、より一層数字の「５」の認識度を高めることができる。
【００７９】
次に、数字の「６」について説明する。ＣＰＵ２３は、６発光手段として働き、図６（Ａ）に示すように、第４直線Ｌ４−第５直線Ｌ５間の第１直線Ｌ１と、第１直線Ｌ１−第３直線Ｌ３間の第５直線Ｌ５と、第４直線Ｌ４−第５直線Ｌ５間の第３直線Ｌ３と、第２直線Ｌ２−第３直線Ｌ３間の第４直線Ｌ４と、第４直線Ｌ４−第５直線Ｌ５間の第２直線Ｌ２と、に沿って自発光ドットデバイスＤを発光させて「６」を表示する。
【００８０】
また、ＣＰＵ２３は、数字の「６」を特徴付けるために、第１直線Ｌ１に沿った意匠領域Ａ１１の右端に下側に向かって突出する突出部Ｔ６が表示されるように自発光ドットデバイスＤを発光する。
【００８１】
また、ＣＰＵ２３は、数字の「６」を特徴付けるために、第２直線Ｌ２に沿った意匠領域Ａ１１及び第４直線Ｌ４に沿った意匠領域Ａ１１が交わる部分の内側Ｉ６１及びＯ６１と、第４直線Ｌ４に沿った意匠領域Ａ１１及び第３直線Ｌ３に沿った意匠領域Ａ１１が交わる部分の内側Ｉ６２及び外側Ｏ６２と、第３直線Ｌ３に沿った意匠領域Ａ１１及び第５直線Ｌ５に沿った意匠領域Ａ１１が交わる部分の内側Ｉ６３及びＯ６３と、第２直線Ｌ２に沿った意匠領域Ａ１１及び第５直線Ｌ５に沿った意匠領域Ａ１１が交わる部分の下側の内側Ｉ６４と、第１直線Ｌ１に沿った意匠領域Ａ１１及び第５直線Ｌ５に沿った意匠領域Ａ１１が交わる部分の内側Ｉ６５及び外側Ｏ６５とにＲが付くように自発光ドットデバイスＤを発光すると共に、第２直線Ｌ２に沿った意匠領域Ａ１１及び第５直線Ｌ５に沿った意匠領域Ａ１１が交わる部分の上側の内側Ｉ６６が直線的に曲がるように自発光ドットデバイスＤを発光する。
【００８２】
これによれば、ＣＰＵ２３が、第１〜第５直線Ｌ１〜Ｌ５上に沿ってセグメント表示を行いつつ突出部Ｔ６を表示して数字の「６」を特徴付けることができるので、数字が変わったときのちらつきを防止し、かつ、数字の認識度を高めることができる。また、内側Ｉ６１〜Ｉ６５及び外側Ｏ６１〜Ｏ６３、Ｏ６５にＲが付くように表示すると共に内側Ｉ６６が直線的に曲がるように表示することにより、より一層数字の「６」の認識度を高めることができる。
【００８３】
次に、数字の「７」について説明する。ＣＰＵ２３は、７発光手段として働き、図６（Ｂ）に示すように、第４直線Ｌ４−第５直線Ｌ５間の第１直線Ｌ１と、第１直線Ｌ１−第３直線Ｌ３間の第４直線Ｌ４とに沿って自発光ドットデバイスＤを発光させて「７」を表示する。
【００８４】
また、ＣＰＵ２３は、数字の「７」を特徴付けるために、第１直線Ｌ１に沿った意匠領域Ａ１１の左端に下側に向かって突出する突出部Ｔ７が表示されるように自発光ドットデバイスＤを発光する。
【００８５】
これによれば、ＣＰＵ２３が、第１〜第５直線Ｌ１〜Ｌ５上に沿ってセグメント表示を行いつつ突出部Ｔ７を表示して数字の「７」を特徴付けることができるので、数字が変わったときのちらつきを防止し、かつ、数字の認識度を高めることができる。
【００８６】
次に、数字の「８」について説明する。ＣＰＵ２３は、８発光手段として働き、図７（Ａ）に示すように、第１直線Ｌ１−第３直線Ｌ３間の第４直線Ｌ４と、第１直線Ｌ１−第３直線Ｌ３間の第５直線Ｌ５と、第４直線Ｌ４−第５直線Ｌ５間の第１直線Ｌ１と、第４直線Ｌ４−第５直線Ｌ５間の第２直線Ｌ２と、第４直線Ｌ４−第５直線Ｌ５間の第３直線Ｌ３と、に沿って自発光ドットデバイスＤを発光させて「８」を表示する。
【００８７】
また、ＣＰＵ２３は、数字の「８」を特徴付けるために、第１直線Ｌ１に沿った意匠領域Ａ１１及び第４直線Ｌ４に沿った意匠領域Ａ１１が交わる部分の内側Ｉ８１及び外側Ｏ８１と、第２直線Ｌ２に沿った意匠領域Ａ１１及び第４直線Ｌ４に沿った意匠領域Ａ１１が交わる部分の内側Ｉ８２、Ｉ８３と、第３直線Ｌ３に沿った意匠領域Ａ１１及び第４直線Ｌ４に沿った意匠領域Ａ１１が交わる部分の内側Ｉ８４及び外側Ｏ８４と、第１直線Ｌ１に沿った意匠領域Ａ１１及び第５直線Ｌ５に沿った意匠領域Ａ１１が交わる部分の内側Ｉ８５及びＯ８５と、第２直線Ｌ２に沿った意匠領域Ａ１１及び第５直線Ｌ５に沿った意匠領域Ａ１１が交わる部分の内側Ｉ８６、Ｉ８７と、第３直線Ｌ３に沿った意匠領域Ａ１１及び第５直線Ｌ５に沿った意匠領域Ａ１１が交わる部分の内側Ｉ８８及び外側Ｏ８８と、にＲが付くように自発光ドットデバイスＤを発光する。
【００８８】
また、ＣＰＵ２３は、第２直線Ｌ２に沿った意匠領域Ａ１１及び第４直線Ｌ４に沿った意匠領域Ａ１１が交わる部分に左側に向かって凹む凹部Ｔ８１を設けると共に、第２直線Ｌ２に沿った意匠領域Ａ１１及び第５直線Ｌ５に沿った意匠領域Ａ１１が交わる部分に右側に向かって凹む凹部Ｔ８２を設けるように自発光ドットデバイスＤを発光させる。
【００８９】
これによれば、ＣＰＵ２３が、第１〜第５直線Ｌ１〜Ｌ５上に沿ってセグメント表示を行いつつ内側Ｉ８１〜Ｉ８８、外側Ｏ８１、Ｏ８４、Ｏ８５、Ｏ８８にＲが付くように表示して数字の「８」を特徴付けることができるので、数字が変わったときのちらつきを防止し、かつ、数字の認識度を高めることができる。また、凹部Ｔ８１、Ｔ８２を表示することにより、より一層数字の「８」の認識度を高めることができる。
【００９０】
次に、数字の「９」について説明する。ＣＰＵ２３は、９発光手段として働き、図５（Ｃ）に示すように、第４直線Ｌ４−第５直線Ｌ５間の第１直線Ｌ１と、第１直線Ｌ１−第２直線Ｌ２間の第５直線Ｌ５と、第４直線Ｌ４−第５直線Ｌ５間の第２直線Ｌ２と、第１直線Ｌ１−第３直線Ｌ３間の第４直線Ｌ４と、第４直線Ｌ４−第５直線Ｌ５間の第３直線Ｌ３と、に沿って自発光ドットデバイスＤを発光させて「９」を表示する。
【００９１】
また、ＣＰＵ２３は、数字の「９」を特徴付けるために、第３直線Ｌ３に沿った意匠領域Ａ１１の左端に上側に向かって突出する突出部Ｔ９が表示されるように自発光ドットデバイスＤを発光するものである。
【００９２】
また、ＣＰＵ２３は、第１直線Ｌ１に沿った意匠領域Ａ１１及び第４直線Ｌ４に沿った意匠領域Ａ１１が交わる部分の内側Ｉ９１及び外側Ｏ９１と、第１直線Ｌ１に沿った意匠領域Ａ１１及び第５直線Ｌ５に沿った意匠領域Ａ１１が交わる部分の内側Ｉ９２及び外側Ｏ９２と、第５直線Ｌ５に沿った意匠領域Ａ１１及び第２直線Ｌ２に沿った意匠領域Ａ１１が交わる部分の内側Ｉ９３及び外側Ｏ９３と、第２直線Ｌ２に沿った意匠領域Ａ１１及び第４直線Ｌ４に沿った意匠領域Ａ１１が交わる部分の上側の内側Ｉ９４と、第３直線Ｌ３に沿った意匠領域Ａ１１及び第４直線Ｌ４に沿った意匠領域Ａ１１が交わる部分の内側Ｉ９５及び外側Ｏ９５と、にＲが付くように自発光ドットデバイスＤを発光して、第２直線Ｌ２に沿った意匠領域Ａ１１及び第４直線Ｌ４に沿った意匠領域Ａ１１が交わる部分の下側の内側Ｉ９６が直線的に曲がるように自発光ドットデバイスＤを発光する。
【００９３】
これによれば、ＣＰＵ２３が、第１〜第５直線Ｌ１〜Ｌ５上に沿ってセグメント表示を行いつつ突出部Ｔ９を表示して数字の「９」を特徴付けることができるので、数字が変わったときのちらつきを防止しかつ数字の認識度を高めることができる。また、内側Ｉ９１〜Ｉ９５、外側Ｏ９１〜Ｏ９５にＲが付くように表示すると共に内側Ｉ９６が直線的に曲がるように表示することにより、より一層数字の「９」の認識度を高めることができる。
【００９４】
なお、上述した実施形態によれば、数字の「２」を表示するときは、内側Ｉ２１〜Ｉ２３及び外側Ｏ２１〜Ｏ２３にＲを付けていたが、本発明はこれに限ったものではない。例えば、内側Ｉ２１〜Ｉ２３及び外側Ｏ２１〜Ｏ２３にＲを付けなくてもよい。
【００９５】
また、上述した実施形態によれば、数字の「３」を表示するときは内側Ｉ３１〜Ｉ３４、外側Ｏ３１、Ｏ３４にＲを付けたり、凹部Ｔ３３を表示していたが、本発明はこれに限ったものではない。たとえば、内側Ｉ３１〜Ｉ３４、外側Ｏ３１、Ｏ３４にＲを付けたり、凹部Ｔ３３を表示しなくてもよい。
【００９６】
また、上述した実施形態によれば、数字の「５」を表示するときは内側Ｉ５１、Ｉ５２、外側Ｏ５１、Ｏ５２にＲを付けていたが、本発明はこれに限ったものではない。たとえば、内側Ｉ５１、Ｉ５２、外側Ｏ５１、Ｏ５２にＲを付けなくてもよい。
【００９７】
また、上述した実施形態によれば、数字の「６」を表示するときは内側Ｉ６１〜Ｉ６５、外側Ｏ６１〜Ｏ６３、Ｏ６５にＲを付けていたが、本発明はこれに限ったものではない。たとえば、内側Ｉ６１〜Ｉ６５、外側Ｏ６１〜Ｏ６３、Ｏ６５にＲを付けなくてもよい。
【００９８】
また、上述した実施形態によれば、数字の「８」を表示するときは凹部Ｔ８１、Ｔ８２を表示していたが、本発明はこれに限ったものではない。たとえば、凹部Ｔ８１、Ｔ８２を表示させなくてもよい。
【００９９】
また、上述した実施形態によれば、数字の「９」を表示するときは内側Ｉ９１〜Ｉ９５、外側Ｏ９１〜Ｏ９３、Ｏ９５にＲを付けていたが、本発明はこれに限ったものではない。たとえば、内側Ｉ９１〜Ｉ９５、外側Ｏ９１〜Ｏ９３、Ｏ９５にＲを付けなくてもよい。
【０１００】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１０１】
【図１】本発明の表示装置を組み込んだ自動車用計器の一実施の形態を示す構成図である。
【図２】図１に示す表示装置のブロック図である。
【図３】（Ａ）及び（Ｂ）は各々、図１に示す表示装置に表示される数字の「０」及び「１」の一例を示す図である。
【図４】（Ａ）及び（Ｂ）は各々、図１に示す表示装置に表示される数字の「２」及び「３」の一例を示す図である。
【図５】（Ａ）及び（Ｂ）は各々、図１に示す表示装置に表示される数字の「４」及び「５」の一例を示す図である。
【図６】（Ａ）及び（Ｂ）は各々、図１に示す表示装置に表示される数字の「６」及び「７」の一例を示す図である。
【図７】（Ａ）及び（Ｂ）は各々、図１に示す表示装置に表示される数字の「８」及び「９」の一例を示す図である。
【図８】従来の数字の表示例を示す図である。
【図９】従来の数字の表示例を示す図である。
【符号の説明】
【０１０２】
２３  ＣＰＵ（数字発光手段、０発光手段、１発光手段、２発光手段、３発光手段、４発光手段、５発光手段、６発光手段、７発光手段、８発光手段、９発光手段）
Ｄ    自発光ドットデバイス（画素）
Ｌ１  第１直線
Ｌ２  第２直線
Ｌ３  第３直線
Ｌ４  第４直線
Ｌ５  第５直線
Ｔ１    突出部
Ｔ２    突出部
Ｔ３１  突出部
Ｔ３２  突出部
Ｔ４    突出部
Ｔ５    突出部
Ｔ６    突出部
Ｔ７    突出部
Ｔ９    突出部
【図１】
2008286928.tif 000003
【図２】
2008286928.tif 000004
【図３】
2008286928.tif 000005
【図４】
2008286928.tif 000006
【図５】
2008286928.tif 000007
【図６】
2008286928.tif 000008
【図７】
2008286928.tif 000009
【図８】
2008286928.tif 000010
【図９】
2008286928.tif 000011